(57)【要約】【課題】簡易な作業でガイド機構を操作することにより、座体の前後位置を調節することを可能とする椅子を提供する。【解決手段】椅子１において、ガイド機構５は、支持部材５１とスライド部材５２と、を備え、支持部材５１の後部には、支持部５１ａに固定されたナット５１ｂに後方よりボルト５１ｃが螺入され、カバー部材８に設けたカバー孔８２ｂからドライバーＤを挿入して、ボルト５１ｃを回転させることにより、支持部材５１に対するボルト５１ｃの相対位置を調節し、支持部材５１に対するスライド部材５２の前後位置が調節可能とされ、スライド部材５２が支持部材５１に対して前後方向に相対変位されることにより、座体６が脚柱４に対して前後方向に相対変位される。【選択図】図４
2019083951.tif 000002
【特許請求の範囲】
【請求項１】
下端部が床面に固定されて上端部が上方に延出された脚柱と、前記脚柱の上端部に設けられたガイド機構と、前記ガイド機構の上面に支持された座体と、前記座体の下側で前記ガイド機構を被覆するカバー部材と、を備える椅子であって、
前記ガイド機構は、前記脚柱の上端部に固定される支持部材と、前記座体の下面に固定されて前記支持部材に対して前後方向に相対変位可能に組付けられるスライド部材と、を備え、
前記支持部材は、前記支持部材に対して相対位置が変更可能な雄ねじ部材を備え、
前記カバー部材に設けたカバー孔から調節冶具を挿入して、前記雄ねじ部材を回転させることにより、前記支持部材に対する前記雄ねじ部材の相対位置を調節し、前記支持部材に対する前記スライド部材の前後位置が調節可能とされ、
前記スライド部材が前記支持部材に対して前後方向に相対変位されることにより、前記座体が前記脚柱に対して前後方向に相対変位される、椅子。
【請求項２】
前記スライド部材には、前記支持部材の後方で前記支持部材に対向する当接板が設けられ、
前記支持部材と前記スライド部材とは、前記支持部材と前記当接板とが互いに近接する方向に付勢部材によって付勢され、
前記当接板が前記雄ねじ部材に当接することにより、前記支持部材と前記当接板とが最も近接した際の前記支持部材に対する前記スライド部材の前後位置が規定され、
前記当接板には、前記当接板を貫通する孔部が開口され、
前記カバー部材における前記当接板と対向する部分には、前記孔部に対応する位置に前記カバー孔が開口され、
前記カバー孔と前記孔部とに調節冶具を挿入して、前記雄ねじ部材を回転させることにより、前記支持部材に対する前記雄ねじ部材の相対位置を調節し、前記支持部材に対する前記スライド部材の前後位置が調節可能とされる、請求項１に記載の椅子。
【請求項３】
前記カバー部材には、前記カバー孔を閉塞可能とする閉塞板が設けられる、請求項１又は請求項２に記載の椅子。
【請求項４】
前記スライド部材は、前記支持部材に対して、側面視で曲線軌道を描いて前後方向に相対変位可能に組付けられ、
前記座体が前記脚柱に対して前端位置と後端位置との間で変位する途中において、前記孔部と前記カバー孔とが前記雄ねじ部材の軸線上に位置する、請求項２に記載の椅子。
【請求項５】
前記カバー部材に位置決め用の目印が形成され、
前記目印は、前記孔部と前記カバー孔とが前記雄ねじ部材の軸線上に位置する際に、前記脚柱の所定箇所と前後位置が一致する、請求項４に記載の椅子。
【請求項６】
前記孔部及び前記カバー孔は上下方向に長い長孔として形成される、請求項４又は請求項５に記載の椅子。
【発明の詳細な説明】
【技術分野】
【０００１】
本発明は椅子に関し、詳細には学校の講堂等において机と組み合わせて講義用システムを構成する椅子に関するものである。
【背景技術】
【０００２】
従来、学校の講堂等において机と複数の椅子とを組み合わせて講義用システムを構成する際に、椅子における脚柱と座体とをガイド機構を介して連結することにより、座体を前後方向にスライド移動させる技術が知られている（例えば、特許文献１を参照）。特許文献１には、椅子を使用しないときは弾性部材により座体を前方にスライドさせて、机と椅子との間に通路スペースを確保することを可能とする椅子が記載されている。
【先行技術文献】
【特許文献】
【０００３】
【特許文献１】特開２００９−１８９５９８号公報
【発明の概要】
【発明が解決しようとする課題】
【０００４】
上記の如く講義用システムを構成する場合、椅子の座体が前方にスライドして停止した際に、隣接する椅子同士で座体の前後位置を揃えるために、ガイド機構を操作する必要がある。このような椅子において、外部へのグリスの露出やガイド機構への異物の混入を防ぐため、及び、デザイン性を向上させるために、ガイド機構をカバー部材で被覆する場合がある。しかし、上記の如くガイド機構をカバー部材で被覆した場合、ガイド機構を操作して座体の前後位置を調節する度ごとにカバー部材を取り外す必要があるため、作業者による作業負担が大きくなっていた。
【０００５】
本発明は以上の如き状況に鑑みてなされたものであり、本発明が解決しようとする課題は、簡易な作業でガイド機構を操作することにより、座体の前後位置を調節することを可能とする椅子を提供することである。
【課題を解決するための手段】
【０００６】
本発明は、上記課題を解決するために、以下に構成する椅子を提供する。
【０００７】
（１）
下端部が床面に固定されて上端部が上方に延出された脚柱と、前記脚柱の上端部に設けられたガイド機構と、前記ガイド機構の上面に支持された座体と、前記座体の下側で前記ガイド機構を被覆するカバー部材と、を備える椅子であって、前記ガイド機構は、前記脚柱の上端部に固定される支持部材と、前記座体の下面に固定されて前記支持部材に対して前後方向に相対変位可能に組付けられるスライド部材と、を備え、前記支持部材は、前記支持部材に対して相対位置が変更可能な雄ねじ部材を備え、前記カバー部材に設けたカバー孔から調節冶具を挿入して、前記雄ねじ部材を回転させることにより、前記支持部材に対する前記雄ねじ部材の相対位置を調節し、前記支持部材に対する前記スライド部材の前後位置が調節可能とされ、前記スライド部材が前記支持部材に対して前後方向に相対変位されることにより、前記座体が前記脚柱に対して前後方向に相対変位される、椅子。
【０００８】
（２）
前記スライド部材には、前記支持部材の後方で前記支持部材に対向する当接板が設けられ、前記支持部材と前記スライド部材とは、前記支持部材と前記当接板とが互いに近接する方向に付勢部材によって付勢され、前記当接板が前記雄ねじ部材に当接することにより、前記支持部材と前記当接板とが最も近接した際の前記支持部材に対する前記スライド部材の前後位置が規定され、前記当接板には、前記当接板を貫通する孔部が開口され、前記カバー部材における前記当接板と対向する部分には、前記孔部に対応する位置に前記カバー孔が開口され、前記カバー孔と前記孔部とに調節冶具を挿入して、前記雄ねじ部材を回転させることにより、前記支持部材に対する前記雄ねじ部材の相対位置を調節し、前記支持部材に対する前記スライド部材の前後位置が調節可能とされる、（１）記載の椅子。
【０００９】
（３）
前記カバー部材に、前記カバー孔を閉塞可能とする閉塞板が設けられる、（１）又は（２）記載の椅子。
【００１０】
（４）
前記スライド部材は、前記支持部材に対して、側面視で曲線軌道を描いて前後方向に相対変位可能に組付けられ、前記座体が前記脚柱に対して前端位置と後端位置との間で変位する途中において、前記孔部と前記カバー孔とが前記雄ねじ部材の軸線上に位置する、（２）記載の椅子。
【００１１】
（５）
前記カバー部材に位置決め用の目印が形成され、前記目印は、前記孔部と前記カバー孔とが前記雄ねじ部材の軸線上に位置する際に、前記脚柱の所定箇所と前後位置が一致する、（４）記載の椅子。
【００１２】
（６）
前記孔部及び前記カバー孔は上下方向に長い長孔として形成される、（４）又は（５）記載の椅子。
【発明の効果】
【００１３】
以上における本発明に係る椅子は、以下に示す効果を奏する。
【００１４】
（１）の構成によれば、簡易な作業でガイド機構を操作することにより、座体の前後位置を調節することができる。
【００１５】
（２）の構成によれば、簡易な作業でガイド機構を操作することにより、座体の前端位置を調節することができる。
【００１６】
（３）の構成によれば、カバー孔を通じて外部からカバー部材の内部が視認されないようにできる。
【００１７】
（４）の構成によれば、カバー孔と孔部とに調節冶具を挿入して雄ねじ部材を回転させる際に、当接板を雄ねじ部材の頭部から離間させておくことができる。
【００１８】
（５）の構成によれば、作業者によるガイド機構における前後位置の調節をより簡易にすることができる。
【００１９】
（６）の構成によれば、作業者によるガイド機構における前後位置の調節をより簡易にすることができる。
【図面の簡単な説明】
【００２０】
【図１】一実施形態に係る椅子を示す後方斜視図。
【図２】椅子を備える講義用システムを示す側面図。
【図３】同じく椅子を示す下方斜視図。
【図４】前後位置調整前の椅子を示す側面断面図。
【図５】前後位置調整時の椅子を示す拡大断面図。
【図６】前後位置調整後の椅子を示す拡大断面図。
【図７】前後位置調整後の椅子を示す側面断面図。
【発明を実施するための形態】
【００２１】
以下では図１から図７を用いて、本発明の一実施形態に係る椅子１について説明する。図１中に示す矢印は椅子１の方向を示している。図４から図７はガイド機構５、座体６、及び、カバー部材８を図１におけるＸ−Ｘ線で切断した断面図である。図２に示す如く、椅子１は学校の講堂等において机２と組み合わされて講義用システムを構成する。この際、一台の机２に対して複数脚（例えば３〜４脚）の椅子１を組み合わせることにより、一組の講義用システムが構成される。
【００２２】
本実施形態に係る椅子１は、脚柱４と、ガイド機構５と、座体６と、カバー部材８と、を主な構成要素として備える。本実施形態に係る椅子１において、脚柱４及びガイド機構５は鉄又はアルミニウム等の金属製部材を中心に構成される。また、座体６は木材、カバー部材８は樹脂製素材を中心に構成される。ただし、各構成部材の素材については限定されるものではない。
【００２３】
脚柱４は、その下端部４ｂが板状のベース体３を介して床面Ｆに固定された角筒状部材である。具体的には脚柱４の下端部４ｂにベース体３が溶接等により固着され、このベース体３が固定具であるボルトＢによって床面Ｆに固定されるのである。脚柱４の上端部４ｔは少し後方に傾いた上方に向かって延出される。ガイド機構５は脚柱４の上端部４ｔに設けられる。
【００２４】
ガイド機構５の上面には座体６が支持される。座体６は略水平方向に広がる曲面部である座部６ａと、座部６ａの後端から上方に向かって広がる曲面部である背もたれ部６ｂと、で一体的に構成されている。
【００２５】
図３から図５に示す如く、ガイド機構５は、脚柱４の上端部４ｔにねじにより固定される支持部材５１と、支持部材５１に対して前後方向に相対変位可能に組付けられるスライド部材５２と、を備える。スライド部材５２には左右の側方に延出されるフランジ部５２ｂが形成される。フランジ部５２ｂは座部６ａの下面６ｃにねじにより固定される。
【００２６】
支持部材５１は回動可能な複数のローラ５３を備え、これらのローラ５３はスライド部材５２に設けられた複数のレール部５４の内部で回動可能とされる。なお、本実施形態において、ローラ５３及びレール部５４は四個ずつ設けられている。また、支持部材５１における脚柱４の直上には支持ギヤ５５が回動可能に支持され、スライド部材５２には支持ギヤ５５と噛み合うレールギヤ５６が固定されている。図４から図７に示す如く、レール部５４及びレールギヤ５６は側面視で上側が膨らんだ曲線状に（円弧状に）形成されている。
【００２７】
上記構成において、スライド部５２に対して支持部材５１と前後方向に相対変位する方向に力が加わると、支持ギヤ５５の上側においてレールギヤ５６が支持ギヤ５５を回動させながらスライドする。また、レール部５４の内部でローラ５３を回動させながらレール部５４がスライドする。これにより、支持部材５１に対してスライド部材５２が前後方向に相対変位するのである。この際、レール部５４及びレールギヤ５６が側面視で曲線状に形成されているため、スライド部材５２は支持部材５１に対して、側面視で曲線軌道を描くように変位する。支持部材５１に対するスライド部材５２の変位により、座体６は脚柱４に対して前後方向に相対変位される。
【００２８】
ガイド機構５は下側からカバー部材８によって被覆される。詳細には、カバー部材８の左右両側面で外側に膨出して形成された固定部８ｂが、スライド部材５２のフランジ部５２ｂにねじにより固定される。本実施形態において、カバー部材８は有底筒状に形成され、第一カバー部材である前部カバー８１と、第二カバー部材である後部カバー８２と、に分割可能に構成されている。後部カバー８２の底部には、前側に開口する切り欠き部８２ａが形成されている。前部カバー８１と後部カバー８２とを組付けた際には、前部カバー８１により後部カバー８２の切り欠き部８２ａが閉塞される。これにより、カバー部材８の底部に挿通孔８ａが形成される。挿通孔８ａには、カバー部材８をスライド部材５２に組付けた際に脚柱４が挿通される。
【００２９】
支持部材５１の後部には、支持部５１ａが立設されている。支持部５１ａには内周面に雌ねじ部が形成されたナット５１ｂが固定されている。ナット５１ｂには後方より雄ねじ部材であるボルト５１ｃが螺入されている。ナット５１ｂへの螺入量を調節することによって、支持部５１ａに対するボルト５１ｃの前後方向の相対位置が変更可能とされている。なお、本実施形態においては支持部５１ａにナット５１ｂを固定する構成としたが、支持部５１ａに開口した孔に雌ねじ部を形成しても差し支えない。
【００３０】
スライド部材５２の後部には、支持部５１ａの後方で支持部５１ａに対向する当接板５２ａが垂下されている。また、支持部材５１とスライド部材５２とは付勢部材である引張ばね５７によって、支持部５１ａと当接板５２ａとが互いに近接する方向に付勢されている。具体的には、支持部材５１の前部に係合板５１ｅが立設され、この係合板５１ｅと当接板５２ａとに引張ばね５７の両端が係合されるのである。
【００３１】
上記構成において、引張ばね５７が支持部材５１とスライド部材５２とを付勢することにより、スライド部材５２の当接板５２ａはボルト５１ｃの後端部である頭部５１ｄに当接する。これにより、支持部５１ａと当接板５２ａとが最も接近した際の支持部材５１に対するスライド部材５２の前後位置が規定されるのである。本実施形態において、当接板５２ａにおいて頭部５１ｄの当接部分の上側には、当接板５２ａを貫通する孔部５２ｃが開口されている。
【００３２】
なお、本実施形態においては当接板５２ａがボルト５１ｃの頭部５１ｄに当接することにより、支持部材５１に対するスライド部材５２の前後位置が規定される構成としているが、スライド部材５２の位置を規定する方法はこれに限定されるものではない。例えば、ボルト５１ｃの途中に規制部を固設し、当接板５２ａをボルト５１ｃの頭部５１ｄと規制部との間に配置する。そして、当接板５２ａを規制部に当接させることにより、支持部材５１に対するスライド部材５２の前後位置を規定する構成とすることも可能である。
【００３３】
また、ガイド機構５を、引張ばね５７の付勢力を用いず、当接板５２ａをボルト５１ｃに当接しない構成とすることもできる。即ち、ボルト５１ｃの前後位置を調節することだけで、支持部材５１とスライド部材５２との前後位置を調節する構成とすることも可能である。
【００３４】
このように、平常時（未使用時）において、椅子１のスライド部材５２は引張ばね５７によって前方に付勢されている。このため、図４に示す如く座体６は脚柱４に対して最も前側（前端位置）に変位して停止する。このように、使用者が椅子１を使用していない場合は、椅子１は座体６が前端位置にスライドして机２に接近することにより、背もたれ部６ｂと後方の机２の前端との間に十分な通路が確保できるようになっている。なお、本実施形態に係る椅子１は、座体６が脚柱４に対して最も後側に位置する後端位置まで変位できるように構成されている（図２における二点鎖線を参照）。
【００３５】
使用者が椅子１を使用する場合は、使用者が引張ばね５７の付勢力に反して座体６に力を加え、座体６を脚柱４に対して後側に変位させる。これにより、使用者は座体６の座部６ａに座ることが可能となる。使用者が椅子１から離席すると、座体６は再び引張ばね５７の付勢力によって前端位置に変位する。
【００３６】
本実施形態において、後部カバー８２における当接板５２ａと対向する部分には、孔部５２ｃに対応する位置にカバー孔８２ｂが開口されている。後部カバー８２には、カバー孔８２ｂを閉塞可能とする閉塞板８２ｃが設けられている。これにより、外部から後部カバー８２の内部が視認できないようにしている。閉塞板８２ｃには、製品の名称やメーカーの名称等を記載することができる。
【００３７】
そして、使用者が引張ばね５７の付勢力に反して座体６に力を加え、座体６を脚柱４に対して後方における所定位置（座体６が前端位置と後端位置との間で変位する途中の位置）まで変位させると、側面視における孔部５２ｃの変位軌跡とボルト５１ｃの軸線とが交差する。即ち、孔部５２ｃとカバー孔８２ｂとがボルト５１ｃの軸線上に位置する（図５を参照）。
【００３８】
使用者が支持部５１ａと当接板５２ａとが最も近接した際の支持部材５１に対するスライド部材５２の前後位置を調節する場合は、まず、カバー孔８２ｂから閉塞板８２ｃを取り外す。そして、上記の如く孔部５２ｃとカバー孔８２ｂとがボルト５１ｃの軸線上に位置した状態で、カバー孔８２ｂと孔部５２ｃとに調節冶具であるドライバーＤを挿入し、図５中の一点鎖線矢印に示す如くボルト５１ｃを回転させる。これにより、ボルト５１ｃのナット５１ｂに対する螺入量を調節することができる。
【００３９】
本実施形態に係る椅子１によれば上記の如く、カバー孔８２ｂと孔部５２ｃとにドライバーＤを挿入して操作するだけで、座体６が前方にスライドして停止した際の前後位置を調節することが可能となる。具体的には図６に示す如く、ナット５１ｂに対してボルト５１ｃの螺入量を小さくして、ボルト５１ｃを後方に変位させた場合、スライド部材５２の当接板５２ａがボルト５１ｃの後端部である頭部５１ｄに当接する位置が後方に変位する。これにより、支持部５１ａと当接板５２ａとが最も接近した際の支持部材５１に対するスライド部材５２の前後位置が後方に変位する。このため、図７に示す如く、脚柱４に対する座体６の前後位置を、図４の調節前の前後位置と比較して後方に変位させることができるのである。
【００４０】
上記の如く、本実施形態に係る椅子１によれば、カバー部材８を取り外すことなく、簡易な作業でガイド機構５を操作することができ、座体６の前後位置を調節することができるのである。このため、講義用システムにおいて隣接する椅子１同士で座体６の前後位置の調節時など、脚柱４に対する座体６の前後位置を調節する際に、ガイド機構５を調節するためにカバー部材８を取り外す必要がないため、作業者の作業負担を低減させることが可能となる。特に、椅子１が講義用システムを構成する場合、椅子１の座体６が引張ばね５７の付勢力により前方にスライドして前端位置で停止した際の、隣接する椅子１同士における座体６の前端位置を容易に揃えることが可能となる。
【００４１】
また、本実施形態に係る椅子１においては、座体６が脚柱４に対して前端位置と後端位置との間で変位する途中において、孔部５２ｃとカバー孔８２ｂとがボルト５１ｃの軸線上に位置するように構成されている。これにより、カバー孔８２ｂと孔部５２ｃとに調節冶具であるドライバーＤを挿入してボルト５１ｃを回転させる際に、当接板５２ａをボルト５１ｃの頭部５１ｄから離間させておくことができる。つまり、ドライバーＤでボルト５１ｃを回転させる際に、ボルト５１ｃには当接板５２ａからの力が付与されていないため、作業者がドライバーＤを用いてボルト５１ｃを容易に回転させることができるのである。
【００４２】
また、本実施形態に係る椅子１においては図３及び図５に示す如く、カバー部材８の底面に位置決め用の突起部である目印８ｃが形成されている。目印８ｃは図５に示す如く、孔部５２ｃとカバー孔８２ｂとがボルト５１ｃの軸線上に位置する際に、脚柱４の後面と前後位置がほぼ一致する位置に形成されている。これにより、作業者は目印８ｃと脚柱４との位置関係に基づいて（目印８ｃと脚柱４の後面との前後位置を一致させて）孔部５２ｃ及びカバー孔８２ｂとボルト５１ｃとの位置合わせを行うことができる。即ち、作業者によるガイド機構５における前後位置の調節をより簡易にすることができるのである。なお、目印８ｃと前後位置を一致させる部分は脚柱４の後面に限定されず、脚柱４の前面、又は、脚柱４に形成した他の目印等とすることも可能である。また、目印８ｃを形成する箇所はカバー部材８の底面に限定されず、カバー部材８の側面等に形成することもできる。
【００４３】
なお、本実施形態に係る椅子１において、当接板５２ａの孔部５２ｃとカバー部材８のカバー孔８２ｂとは真円に近い形状で開口されているが、孔部５２ｃ及びカバー孔８２ｂを上下方向に長い長孔として形成することも可能である。これにより、孔部５２ｃ及びカバー孔８２ｂにおいてボルト５１ｃの軸線と重なる領域を増やすことができる。即ち、ドライバーＤでボルト５１ｃを回転させる際に、作業者が孔部５２ｃとカバー孔８２ｂとをボルト５１ｃの軸線上に配置することが容易となる。このため、作業者によるガイド機構５における前後位置の調節をより簡易にすることができるのである。なお、本構成の場合、孔部５２ｃとカバー孔８２ｂとがボルト５１ｃの軸線上に配置される領域を示すように、前記の目印８ｃを二か所に形成したり、挿通孔８ａの長手方向に沿って長く形成された突起部として形成したりすることが好ましい。
【符号の説明】
【００４４】
１        椅子                     ２        机
３        ベース体                 ４        脚柱
４ｂ      下端部                   ４ｔ      上端部
５        ガイド機構               ６        座体
６ａ      座部                     ６ｂ      背もたれ部
６ｃ      下面                     ８        カバー部材
８ａ      挿通孔                   ８ｂ      固定部
８ｃ      目印                   ５１        支持部材
５１ａ      支持部                 ５１ｂ      ナット（雌ねじ部）
５１ｃ      ボルト（雄ねじ部材）
５１ｄ      頭部                   ５１ｅ      係合板
５２        スライド部材           ５２ａ      当接板
５２ｂ      フランジ部             ５２ｃ      孔部
５３        ローラ                 ５４        レール部
５５        支持ギヤ               ５６        レールギヤ
５７        引張ばね               ８１        前部カバー
８２        後部カバー             ８２ａ      切り欠き部
８２ｂ      カバー孔               ８２ｃ      閉塞板
Ｂ        ボルト                   Ｄ        ドライバー（調節冶具）
Ｆ        床面
【図１】
2019083951.tif 000003
【図２】
2019083951.tif 000004
【図３】
2019083951.tif 000005
【図４】
2019083951.tif 000006
【図５】
2019083951.tif 000007
【図６】
2019083951.tif 000008
【図７】
2019083951.tif 000009